(57)【要約】【課題】文字画像を、メール文書等に用いる絵文字として適切な画像になるように加工する処理を、簡単に行えるようにする。【解決手段】携帯電話に、撮像により生成された文字画像を絵文字に加工して登録するために、文字画像登録システム１００を搭載する。文字成分検出部１０１は処理対象の文字画像から文字成分を検出し、文字画像切り出し部１０２は、検出された文字成分を含む画像を切り出す。画像加工部１０３は、切り出された画像の背景部分と文字成分との色彩を、それぞれ異なる基準により調整する。さらに、適宜、操作部３の操作に応じて、文字成分の線幅を調整したり、色彩を変更する処理などを行う。画像の保存を指定する操作が行われると、登録処理部１０４は、「よみ」の入力を受け付け、その時点での加工画像と入力された「よみ」とを対応づけて、変換用辞書２０３に登録する。【選択図】図２
2008252680.tif 000002
【特許請求の範囲】
【請求項１】
撮像部、表示部、および操作部が設けられた筐体を具備する携帯端末装置の制御部であって、文書作成手段としての機能が設定されたコンピュータに組み込まれるプログラムであって、
前記撮像部の撮像により生成された画像から文字成分を検出する特徴検出手段、
前記特徴検出手段により検出された文字成分を含む任意大きさの領域内の画像を対象に、前記文字成分以外の部分の色彩と文字成分の色彩とを、それぞれ異なる基準により調整する画像加工手段、
前記画像加工手段により加工された画像を、前記文書作成手段が作成する文書に組み込み可能な文字画像として登録する登録手段、
の各手段として、前記携帯端末装置のコンピュータを機能させるように構成された、携帯端末装置用のプログラム。
【請求項２】
前記撮像部により生成された画像の任意の領域を指定する操作を受け付けて、その領域内の画像を切り出す画像切り出し手段として、前記コンピュータを機能させるためのプログラムをさらに含み、
前記画像加工手段は、画像切り出し手段により切り出された画像を処理対象とするように構成される、請求項１に記載された携帯端末装置用のプログラム。
【請求項３】
前記画像加工手段は、処理対象の画像の文字成分以外の部分に、背景色として一様な色彩を設定するとともに、文字成分を構成する各画素に、背景色以外の色彩を設定する、請求項１または２に記載された携帯端末装置用のプログラム。
【請求項４】
前記画像加工手段は、検出された文字成分の全構成画素、または個々の文字成分毎に、一様な色彩を設定する、請求項３に記載された携帯端末装置用のプログラム。
【請求項５】
前記画像加工手段は、前記特徴検出手段により検出された文字成分について、一部の構成画素の色彩を背景色に変更する処理、または文字成分の近傍の画素の色彩を文字成分の色彩に変更する処理によって文字成分の線幅を変更することが可能である、請求項３または４に記載された携帯端末装置用のプログラム。
【請求項６】
前記登録手段は、前記画像加工手段により加工された画像に対応する「よみ」の入力を受け付けて、入力された「よみ」と前記加工された画像とを対応づけた辞書データを登録するように構成される、請求項１に記載された携帯端末装置用のプログラム。
【請求項７】
撮像部、表示部、および操作部が設けられた筐体内に、文書作成手段を具備する制御部が組み込まれた携帯端末装置であって、
前記制御部は、
前記撮像部の撮像により生成された画像から文字成分を検出する特徴検出手段、
前記特徴検出手段により検出された文字成分を含む任意大きさの領域内の画像を対象に、前記文字成分以外の部分の色彩と文字成分の色彩とを、それぞれ異なる基準により調整する画像加工手段、
前記画像加工手段により加工された画像を、前記文書作成手段が作成する文書に組み込み可能な文字画像として登録する登録手段、の各手段を含んでいる携帯端末装置。
【発明の詳細な説明】
【技術分野】
【０００１】
この発明は、撮像部、表示部、および操作部が設けられた筐体内にコンピュータによる制御部が組み込まれ、このコンピュータに文書作成手段としての機能が設定された構成の携帯端末装置に関する。特にこの発明は、文書作成手段が作成する文書に使用可能な文字画像を生成する機能をコンピュータに設定するためのプログラム、およびこのプログラムが組み込まれた携帯端末装置に関する。
【背景技術】
【０００２】
近年の携帯電話では、殆どの機種にディジタルカメラが搭載され、メール作成機能やウェブ閲覧機能も装備されている。また、これらの携帯電話の多くは、「絵文字」と呼ばれる画像（キャラクター等の画像を文字と同じ大きさで表したもの）をメール文書に組み込むことが可能である。
【０００３】
絵文字は、携帯電話内の辞書にあらかじめ登録される場合もあれば、パーソナルコンピュータやインターネットからダウンロードされる場合もある。
また、付属のカメラにより撮像した画像やダウンロードした画像を、絵文字として使用する技術も開発されている。たとえば、下記の特許文献１には、不揮発メモリに蓄積された任意の画像データに外字用の文字データを割り当てることによって、画像データを外字データとして登録することが記載されている。
【０００４】
【特許文献１】特開２００７−２６３９４号公報
【発明の開示】
【発明が解決しようとする課題】
【０００５】
上記の特許文献１には、撮像により生成された画像の大きさを変更することしか記載されていないが、画像を絵文字のサイズに縮小するには、画素を間引きする処理や色彩を補間する処理などが必要となる。通常のカラー画像には、種々の色彩が含まれるので、画像を単純に縮小すると、撮像対象物の輪郭線が不明瞭になったり、色むらが生じる可能性がある。また、画像にノイズがあると、縮小後の画像にもそのノイズによる影響が現れる。
したがって、特許文献１に開示された方法では、絵文字として適切な画像を生成できない可能性がある。
【０００６】
勿論、携帯電話の画像編集機能を用いて、原画像を適切な絵文字に加工することは可能である。しかし、画像編集に関する知識のない一般ユーザが、このような作業を行うのは困難である。また携帯電話のような操作性の悪い装置での編集作業は、非常に煩雑になるため、知識を持つ者でも、適切な絵文字を作成するのは容易なことではない。
【０００７】
この発明は上記の問題に着目してなされたもので、種々の書体の文字や、文字を図案化したマーク（ロゴマーク）、手書き文字などを撮像した画像（この明細書では「文字画像」と呼ぶ。）を、絵文字として適切な画像になるように加工する処理を簡単に行えるようにすることを、目的とする。
【課題を解決するための手段】
【０００８】
この発明に係るプログラムは、撮像部、表示部、および操作部が設けられた筐体を具備する携帯端末装置の制御部であって、文書作成手段としての機能が設定されたコンピュータに、以下の特徴検出手段、画像加工手段、登録手段の各手段の機能を付与するものである。
【０００９】
特徴検出手段は、撮像部の撮像により生成された画像から文字成分を含む領域を検出する。
ここで、「文字成分」とは、文字状の特徴をもって連結する画素の集合体であり、１つの文字は、少なくとも１つの文字成分により構成される。
このような集合体は、たとえば処理対象の画像からエッジを抽出し、複数のエッジ構成画素が一連に連結する部分を検出し、さらにこれらの中から構成画素が所定値を上回るものに絞り込むことにより、検出することができる。さらに連結体の幅があらかじめ定めた範囲に含まれるものに絞り込むなどの処理を行えば、検出精度をより向上することが可能になる。
【００１０】
画像加工手段は、特徴検出手段により検出された文字成分を含む任意大きさの領域内の画像を対象に、文字成分以外の部分の色彩と文字成分の色彩とを、それぞれ異なる基準により調整する。登録手段は、画像加工手段により加工された画像を、文書作成手段が作成する文書に組み込み可能な文字画像として登録する。
【００１１】
上記のプログラムによれば、文字または文字をモチーフにしたロゴマーク等を撮像することにより、その撮像対象を含む文字画像を文書用の絵文字に適した画像に簡単に加工することができる。加工後の画像では、文字成分と背景部分との色彩が、それぞれ異なる基準により調整されるので、背景の色彩に影響されることなく、文字の部分を鮮明に表すことができる。また原画像の背景にノイズや色むらがある場合でも、これらを除去し、メール等の文書に組み込むのに適した文字画像に加工することができる。
【００１２】
好ましい態様のプログラムには、撮像部により生成された画像の任意の領域を指定する操作を受け付けて、その領域内の画像を切り出す画像切り出し手段として、コンピュータを機能させるプログラムがさらに含まれる。また、この場合の画像加工手段は、切り出し手段により切り出された画像を処理対象とするように構成される。
【００１３】
この態様によれば、撮像により生成された画像からユーザーが文字画像として登録する範囲を自由に設定し、その設定された範囲内の画像を加工することができる。
なお、画像切り出し手段による処理は、文字成分の検出後でも良いが、検出の前に画像の切り出しを行って、切り出し後の画像から文字成分を検出するようにしてもよい。
【００１４】
他の好ましい態様のプログラムでは、画像加工手段は、処理対象の画像の文字成分以外の部分に、背景色として一様な色彩を設定するとともに、文字成分を構成する各画素に、背景色以外の色彩を設定するように構成される。
この態様によれば、元の画像の背景にノイズや色むらがあっても、これらを簡単に補正することができる。また、文字成分に背景色とは異なる色彩が設定されるので、文字成分の輪郭線を明瞭に表すことができる。
【００１５】
より好ましい態様では、画像加工手段は、検出された文字成分の全構成画素、または個々の文字成分毎に、一様な色彩を設定する。このようにすれば、文字成分の色彩の調整処理が非常に簡単になる。また、絵文字として縮小された場合でも、文字部分に色むらが生じることがなく、元の画像のイメージを忠実に再現することができる。
【００１６】
他の好ましい態様のプログラムでは、画像加工手段は、特徴検出手段により検出された文字成分について、一部の構成画素の色彩を背景色に変更する処理、または文字成分の近傍の画素の色彩を文字成分の色彩に変更する処理によって、文字成分の線幅を変更することが可能なものとなる。
この態様によれば、撮像対象の文字を細線化した文字や、極太にした文字に変更し、元のイメージとは異なる画像を生成することができる。
【００１７】
他の好ましい態様のプログラムでは、登録手段は、画像加工手段により加工された画像に対応する「よみ」の入力を受け付けて、入力された「よみ」と前記加工された画像とを対応づけた辞書データを登録するように構成される。
この態様によれば、登録された文字画像を作成文書に組み込む場合に、通常の文字と同様の方法で文字画像を読み出すことができる。
【００１８】
この発明による携帯端末装置は、撮像部、表示部、および操作部が設けられた筐体内に、文書作成手段を具備する制御部が組み込まれた構成のものである。制御部には、さらに、上記した特徴検出手段、画像加工手段、および登録手段の各手段が設けられる。これらの手段は、上記のプログラムをコンピュータに組み込むことにより設定されるものである。さらに必要に応じて、上記した各種態様のプログラムに対応する構成を設けることもできる。
【００１９】
上記の携帯端末装置は、通信手段を具備し、文書作成手段は、通信手段を介して送信されるメール文書を作成する装置（たとえば携帯電話、または通信機能付きの携帯情報端末）として構成されるのが望ましい。
【発明の効果】
【００２０】
この発明によれば、文字や文字状のマーク等を撮像することにより生成された文字画像を、文書用の文字画像として適した画像に加工する処理を簡単に行うことができる。よって既存の絵文字にはない文字画像を簡単に作成することが可能になり、文字画像のバリエーションを拡大することができる。
【発明を実施するための最良の形態】
【００２１】
図１は、この発明が適用された携帯電話の電気構成を示す。
この携帯電話は、コンピュータを主体とする制御部１、撮像部２、操作部３、表示部４、通信処理部５などを具備する。撮像部２、操作部３、表示部４は、一体物の筐体１３（図３に示す。）に組み付けられる。通信処理部５および制御部１は、筐体内部の基板に搭載される。また、図１には示していないが、制御部１とその他の処理部２〜５との間には、インターフェース等の回路が設けられる。
【００２２】
撮像部２は、カラー画像用のディジタルカメラである。操作部３には、テンキーや複数のファンクションキーが含まれており、表示部４は、液晶パネルやその駆動回路により構成される。通信処理部５には、図示しないアンテナ装置、変調回路、復調回路などが含まれる。
【００２３】
制御部１には、ＣＰＵ１０、主メモリ１１、および画像メモリ１２などが含まれる。
主メモリ１１は、フラッシュメモリなどの不揮発メモリであって、無線通信網への接続や各種の設定処理を行うのに必要なプログラムや設定データのほか、ユーザにより登録された接続先リストが格納される。さらに、この実施例の主メモリ１１には、電子メールの文書の作成や送受信を行うシステム（以下、「メール処理システム２００」という。）や、メール文書に使用可能な絵文字の作成および登録を行うシステム（以下、「文字画像登録システム１００」という。）を構成するためのプログラムが格納されている。
【００２４】
操作部３において撮影モードを選択する操作が行われると、ＣＰＵ１０は、撮像部２をオン状態にし、所定の時間間隔毎に駆動信号を出力する。撮像部２は、これらの駆動信号に応じて撮像を繰り返す。毎時の撮像により生成されたカラー画像は、図示しないＡ／Ｄ変換回路によりディジタル変換され、ＣＰＵ１０内のバッファおよび表示部４に出力される。ユーザが所定のタイミングでシャッタ操作を行うと、その時点で生成されたカラー画像がサンプルホールドされて、画像メモリ１２に格納される。
【００２５】
図２は、メール処理システム２００および文字画像登録システム１００の構成を示す。
メール処理システム２００には、メール文書作成部２０１，送信部２０２，および変換用辞書２０３が含まれる。また、ここには図示しないが、外部から受信したメール文書を表示する表示処理部や、過去の受信メールや送信メールを蓄積する記憶部なども、このシステム２００内に設けられる。
【００２６】
メール処理システム２００により実施される処理は、従来と同様のものである。
変換用辞書２０３には、通常のかな漢字変換用の辞書データのほか、記号や標準的な絵文字データなどが格納されている。メール文書作成部２０１は、操作部３のキー操作に応じて入力文字列を組み立て、変換操作が行われると、それまでに組み立てた入力文字列により変換用辞書２０３を参照して、入力文字列を所定の文字列に変換する。この処理を繰り返すことにより、メール文書が作成される。操作部３において、メール送信を指示する操作が行われると、作成されたメール文書は送信部２０２に渡され、通信処理部５へと送出される。
【００２７】
文字画像登録システム１００には、文字成分検出部１０１、文字画像切り出し部１０２、画像加工部１０３、登録処理部１０４、表示制御部１０５が含まれる。
この文字画像登録システム１００では、文字（手書き文字を含む。）または文字を図案化したマークが撮像対象となることを前提に、撮像部２により生成されたカラー画像を撮像対象の特徴を反映した文字画像に加工する。また、加工後の文字画像を「絵文字」として変換用辞書２０３に登録する処理も実行する。
【００２８】
なお、図２には示していないが、文字画像登録システム１００には、画像メモリ１２が含まれる。画像メモリ１２には、撮像部２により生成されたカラー画像が格納されるほか、文字画像登録システム１００の処理の過程で生成される各種の画像をそれぞれ個別に格納するための領域が設定される。これらの画像は、最終形態の文字画像の登録が終了するまで保持される。
【００２９】
また、この文字画像登録システム１００には、撮像部２のほか、操作部３および表示部４も含まれる。
操作部３は、文字画像切り出し部１０２、画像加工部１０３、登録処理部１０４が処理を行う際に、処理内容を入力または選択するために用いられる。表示部４は、表示制御部１０５からの指令に応じて、元の文字画像を絵文字用の文字画像に加工するまでの過程で生成された画像や、操作のためのガイダンスなどを表示する。
【００３０】
以下、上記の文字画像登録システム１００により行われる処理を、具体例に基づいて説明する。
【００３１】
図３は、文字画像の登録処理のために文字列を撮像した例を示す。
この例では、所定の色彩で着色されたベース部分に別の色彩で文字列が（この例では「七条烏丸」という地名）が描かれた看板３０を撮像対象としている。図３の右手の図は、この看板の撮像により生成されたカラー画像の表示画面であって、撮像対象の文字列やベース部分の一部を含むカラー画像３１が表示されている。
【００３２】
図４は、上記の撮像により生成された画像を文字画像登録処理システム１００が処理する間に、表示部４に表示される画面の例を示す。
撮像部２により処理対象のカラー画像３１が生成されると、まず文字成分検出部１０１により、当該カラー画像３１から文字成分を検出する処理が実行される。この検出結果は、表示制御部１０５に渡され、図４（１）に示すように、表示されていたカラー画像３１に文字成分の検出範囲を示す矩形枠３３が示される。
【００３３】
この状態下でユーザが切り出し指定操作を行うと、文字画像切り出し部１０２により矩形枠３３内の画像が切り出される。ただし、この実施例では、画像を切り出す前に、ユーザの操作によって矩形枠３３の位置や大きさを調整し、画像の切り出し範囲を変更することもできる。よって、検出された文字成分のうちの一部による文字画像を登録することもできる。
【００３４】
文字画像切り出し部１０２により切り出された画像は、画像加工部１０３に渡される。画像加工部１０３は、この画像の文字成分以外の部分の色彩をあらかじめ設定された背景色（この例では白色）に置き換える。また文字成分についても、各構成画素の色彩データの平均値による色（以下「平均色」という。）を求め、この平均色により各構成画素の色彩を置き換える。
【００３５】
画像加工部１０３により加工された画像は表示制御部１０５に渡される。表示制御部１０５は、この画像を用いて、表示部４に図４（２）に示すような画面を表示させる。
【００３６】
なお、背景色は白色に限らず、あらかじめ所望の色彩を設定することもできる。また、実際のカラー画像中の背景の平均色を設定することもできる。また、図４（２）の画面が表示された段階で、背景色や文字色を切り替える操作を受け付けて、色彩を変更することもできる。
【００３７】
上記の画像加工処理によれば、背景、文字成分とも、それぞれ一様の色彩で表されるので、画像は２種類の色彩により表現されるようになる。よって、輪郭線が明瞭になり、色むらのない文字画像に加工することができる。
【００３８】
さらに、この実施例では、閾値の調整処理を行うことができる。
ここでいう閾値とは、ユーザ向けに設定した便宜上の表現であって、具体的には、文字部分と背景部分との境界線の位置の調整によって、線幅が変更されることになる。この実施例では、閾値が高くなるほど、境界線が文字の内側に移動し、文字の線幅が細くなるようにしている。なお、この時点の画面には、閾値の大きさを表すインジケータ３２が表示される。
【００３９】
ユーザがこの機能を用いて、文字の線幅を所望の大きさに調整した場合には、画像加工部１０３は、その操作に応じて、背景色を表示する範囲と文字色を表示する範囲とを変更することにより、境界線の位置を変更する。変更後の画像も表示制御部１０５に与えられるので、画面は、図４（３）のように切り替えられる。
【００４０】
文字画像が所望の状態になると、ユーザは、文字の保存を指定する操作を行う。この操作に応じて、その時点での加工画像が登録処理部１０４に渡される。
登録処理部１０４は、表示制御部１０５に連絡して、表示画面を図４（４）に示すようなものに変更する。この画面には、加工が完了した文字画像とともに、この文字画像に付与する「よみ」を入力するボックス３４が設定される。ユーザがこのボックス３４に「よみ」を入力して確定操作を行うと、登録処理部１０４は、登録対象の文字画像と入力された「よみ」とを対応づけた辞書データを作成し、これを変換用辞書２０３に登録する。表示制御部１０５は、この登録処理の完了に応じて、表示部４の画面を、図４（５）に示すような終了画面に切り替える。
【００４１】
なお、文字画像の辞書データは、最終形態の画像データの画像ファイルと、この画像ファイルのファイル名および「よみ」を対応づけたデータとにより構成される。メール文書を作成する際に、ユーザが「よみ」を入力して変換操作を行うと、この「よみ」から対応するファイル名が読み出され、ついで、このファイル名により特定された画像データが読み出される。よって、ユーザは、登録された文字画像を通常の文字と同様の方法で読み出して、メール文書中に組み込むことが可能になる。
【００４２】
撮像により生成されたカラー画像をそのまま縮小して登録する従来の方法では、撮像対象およびその背景の画像がそのまま登録されるだけである。このため、画像を縮小すると、輪郭線が不明瞭になったり、色むらが生じる可能性があり、画像が不鮮明になるおそれがある。勿論、ユーザが手作業で編集を行って、背景色を一様な色彩に置き換えたり、文字部分の線幅を変更することは可能であるが、この編集は画素単位での修正を伴うため、多大な労力がかかる。特に、携帯電話のような操作性の悪い装置でこの種の修正作業を行うのは、非常に困難である。
【００４３】
これに対し、この実施例では、図４に示したように、簡単な選択操作を行うのみで、元のカラー画像３１の所望の領域を切り出して、編集を行うことができる。
また、この実施例では、背景部分の色彩と文字部分の色彩とを、それぞれ個別に調整するので、各部分の色彩を他方の色彩の影響を受けることなく調整することができる。また、基本的に背景色、文字色とも一様に設定されるので、元の画像にノイズや色むらがあっても、それらが加工後の画像に反映されることがなく、画像を鮮明にすることができる。
よって、種々の印刷物や手書き文字などを絵文字に適した画像に加工する処理を手軽に行うことが可能になり、利便性が大幅に向上する。
【００４４】
図５は、文字画像登録システム１００により実行される一連の処理の流れを示す。以下、この流れに沿って、図２に示した各処理部が実行する処理を、詳細に説明する。なお、以下の説明および図５において、「ＳＴ」は、ステップを略したものである。
【００４５】
文字画像登録システム１００は、ユーザの呼び出し操作によって起動する。最初のＳＴ１では、撮像部２により生成された画像を画像メモリ１２に格納する処理が行われる。
【００４６】
つぎのＳＴ２では、文字成分を検出する処理（文字成分検出部１０１によるもの）を実行する。このステップでは、画像メモリ１２に格納されたカラー画像をグレースケールの画像に変換し、その変換後の画像を用いて、文字を表す画素の集合体（文字成分）を検出する。また、下記の特許文献２，３に開示されている技術を使用することにより、文字成分を精度良く検出できるようにしている。
【００４７】
【特許文献２】特開２００５−３０９７７１号公報
【特許文献３】特開２００５−３０９７７２号公報
【００４８】
具体的な処理は上記の文献に詳細に記載されているので、この明細書では簡単に説明する。
まずグレースケールの画像にＬｏｇフィルタと呼ばれるエッジ抽出用フィルタを適用し、ゼロ以上、またはゼロ以下の画素の連結体（連結成分）を抽出し、その抽出結果を反映した２値画像を生成する。以下、この２値画像を用いて、各連結成分の中から画素数、外接矩形の大きさ、背景画素との濃度差がそれぞれ所定の基準を満たし、画像の端縁に接していない連結成分を、文字の構成要素（文字成分）として特定する。このような処理により、ノイズを削除し、文字を表す可能性の高い連結成分に絞り込むことができる。さらに、各文字成分の輪郭線を折れ線に近似し、折れ線近似された輪郭線に線分ハフ変換を実行することにより、画像中の文字（複数の文字がある場合には文字列）を含む領域（以下、「文字領域」という。）を特定する。
【００４９】
つぎのＳＴ３では、元のカラー画像３１にＳＴ２で特定された文字領域の範囲を示す矩形枠３３を付け、この枠付きの画像を含む画面（図４（２）に示したもの）を表示部４に表示する。
【００５０】
ここでユーザーが、矩形枠３３の位置や大きさを変更する操作を行うと、ＳＴ４が「ＹＥＳ」となってＳＴ５に進み、その操作に応じて矩形枠３３の表示位置や大きさを変更する。この後、切り出し指定操作が行われると（矩形枠３３の変更操作なしに行われる場合もある。）、ＳＴ６が「ＹＥＳ」となってＳＴ７に進み、この操作の時点の枠内に含められている画像を切り出す。
【００５１】
なお、矩形枠３３の位置や大きさを変更する場合には、ＳＴ２で検出された文字成分が変更後の枠内に含まれなければならない（一部の文字成分でもよい。）ものとする。この実施例では、文字成分が全く検出されていない範囲にまで矩形枠３３を移動させることはできないように設定されている。
【００５２】
ＳＴ８およびＳＴ９は、切り出された画像に対して実行される。ＳＴ８では、切り出された画像のうち、文字成分として検出されていない部分、すなわち背景の部分の色彩を、あらかじめ設定された背景色に置き換える。
【００５３】
ＳＴ９では、文字成分として検出された部分の色彩が一様になるように変更する。
具体的には、検出された文字成分を構成するすべての画素の平均色、または各画素の色彩によるヒストグラム中で最も頻度の高い色彩を求め、その色彩により文字成分を構成するすべての画素の色彩を置き換える。
【００５４】
上記のＳＴ８，９の処理により、切り出された画像は、２種類の色彩により文字部分と背景との境界が明瞭化された画像に加工される。つぎのＳＴ１０では、この色彩を変更した後の画像を含む画面（図４（２）に示した画面）を作成し、これを表示部４に表示させる。
【００５５】
上記の画面表示に対し、ユーザーが前記した閾値の変更、色彩の変更等の編集操作を行うと（編集内容もメニューの呼び出しにより選択することができる。）、ＳＴ１１が「ＹＥＳ」となってＳＴ１２に進み、編集操作の内容に応じて、画像を再加工する。
【００５６】
所定の時点で、加工された画像の保存を指定する操作が行われると、ＳＴ１３が「ＹＥＳ」となり、ＳＴ１４に進む。ＳＴ１４では、表示画面を図４（４）に示したようなものに切り替え、入力ボックス３４への「よみ」の登録を促す。
【００５７】
読みが入力されると、ＳＴ１４からＳＴ１５に進み、上記のＳＴ３〜１０の処理により生成された文字画像と「よみ」とを対応づけて、変換用辞書２０３に登録する。
【００５８】
なお、ＳＴ９における文字色の設定については、文字成分単位で行うことも可能である。したがって、複数の文字がそれぞれ異なる色彩で表されているような場合には、文字成分単位での文字色を設定する方法を選択することにより、各文字の元々の色彩を反映した画像を生成することができる。
【００５９】
さらに、ＳＴ１１〜１２において、ユーザの操作に応じた編集を行う場合にも、文字成分単位での選択や任意の範囲での選択を受け付け、選択された範囲のみを編集するようにしてもよい。このようにすれば、図６に示すように、文字の１部分のみの線幅や色彩を変更することも可能になる。
【００６０】
また、図４では、文字画像中の文字の線幅を変更する例を示したが、これに限らず、各文字成分の輪郭線を所定の色彩で縁取りするなどの加工も可能である。
さらに、メモリ容量を確保できるのであれば、動画像にすることも可能である。たとえば、文字成分を構成する画素のうち、元のカラー画像における明度が所定のしきい値を上回る画素のみを文字色で表示し、明度がしきい値以下の画素は背景色で表すようにしておき、しきい値を更新しながら、その更新に合わせて文字画像の表示を変更する。このようにすれば、文字が背景色から浮かび上がってきたり、その反対に、文字の表示範囲が徐々に小さくなって背景色のみになるなど、興趣のある表示を行うことが可能になる。
【００６１】
さらに、上記の実施例では、処理対象のカラー画像から文字成分を検出し、その検出結果に基づいて画像の切り出し範囲を初期設定したが、これに代えて、撮像後の画像を表示した後に、ユーザに画像の切り出し範囲を指定する操作を行わせ、指定された範囲内の画像を切り出してから文字成分を検出してもよい。
【図面の簡単な説明】
【００６２】
【図１】この発明が適用される携帯電話のブロック図である。
【図２】文字画像登録システムおよびメール処理システムの構成を示す機能ブロック図である。
【図３】撮像例を示す説明図である。
【図４】図３の撮像により生成された画像を文字画像登録システムが処理する場合の表示画面の例を示す説明図である。
【図５】文字画像登録システムによる処理の流れを示すフローチャートである。
【図６】画像中の文字の一部を加工する例を示す説明図である。
【符号の説明】
【００６３】
１  制御部
２  撮像部
３  操作部
４  表示部
１０  ＣＰＵ
１１  主メモリ
１２  画像メモリ
１００  文字画像登録システム
１０１  文字成分検出部
１０２  文字画像切り出し部
１０３  画像加工部
１０４  登録処理部
２００  メール処理システム
２０１  メール文書作成部
２０３  変換用辞書
【図１】
2008252680.tif 000003
【図２】
2008252680.tif 000004
【図３】
2008252680.tif 000005
【図４】
2008252680.tif 000006
【図５】
2008252680.tif 000007
【図６】
2008252680.tif 000008